(57)【要約】【課題】扉の抉じ開けを阻止する機能と、メインロック装置のピッキング操作や破壊工作を阻止する機能を有する補助ロック装置を提供する。【解決手段】筐体１に固着される固定側ケース２と、扉３に固着される可動側ケース４と、固定側ケース２内に装着されたスナッチロック装置５と、可動側ケース４に収容され、固定側ケース２の前面開口部１０からスナッチロック装置５に出入りするスライド体９とからなる。スライド体９の後端には、ロックプレート６の掛金部７と係脱する受金部１１が設けられ、スライド体９の前端には、倒伏時にメインロック装置１２の操作ハンドル１３の前面側に配置されるガード体１４が枢着される。可動側ケース４の制止用突起部１６は、ガード体１４の基端部背面の凹部１７に係合する。可動側ケース４の錠前ユニット１８のロータ１９には、トリガーレバー８の駆動用カム体２０が装着される。【選択図】図４
2007332683.tif 000002
【特許請求の範囲】
【請求項１】
筐体１の側面前端部に固着される固定側ケース２と、扉３の側面部に前記固定側ケース２と対向して固着される可動側ケース４とからなり、前記固定側ケース２の内部に装着されたスナッチロック装置５は、突出方向に回転付勢されたロックプレート６と、前記ロックプレート６の掛金部７が装置内に押し込まれた施錠位置に前記ロックプレート６を拘束するトリガーレバー８を備えており、前記可動側ケース４の内部には筐体１の前後方向に移動可能なスライド体９が収容されており、前記固定側ケース２の前面開口部１０から前記スナッチロック装置５に出入りする前記スライド体９の後端には、ロックプレート６の前記掛金部７と係脱する受金部１１が設けられており、前記スライド体９の前端には、倒伏時にメインロック装置１２の前面側に配置されるガード体１４が垂直軸１５によって連結されており、前記可動側ケース４には前記垂直軸１５より後方の部位において制止用突起部１６が前面側に突設されており、前記制止用突起部１６は前記ガード体１４の基端部背面には前記制止用突起部１６と係合して前記ガード体１４の回転を制止する制止用凹部１７が形成されており、前記可動側ケース４の後端部に収容された錠前ユニット１８のロータ１９の先端部には、回転付勢に抗して前記トリガーレバー８を前記ロックプレート６の拘束解除位置へと駆動するカム体２０が装着されており
前記錠前ユニット１８の鍵２１によって前記カム体２０を回転させて前記トリガーレバー８を駆動し、前記ロックプレート６の回転によって前記スライド体９を前方に押し出すことによって、前記ロックプレート６の前記フック部７と前記スライド体９の前記受金部１１との係合を解除するとともに、前記可動側ケース４の前記制止用突起部１６と前記ガード体１４の前記制止用凹部１７との係合を解除するようにした自動販売機等の補助ロック装置。
【発明の詳細な説明】
【技術分野】
【０００１】
本発明は、自動販売機や料金精算機等において使用される補助ロック装置に関するものである。
【背景技術】
【０００２】
一般に街頭設置の自動販売機等においては、防犯性の向上のために通常のメインロック装置に加えて補助ロック装置を使用している。
この一例として、チェーン式の補助ロック装置では、チェーンの一端を自動販売機の固定枠体に固定し、扉に掛け渡したチェーンの自由端を扉に設けたロック装置によって拘束する（特許文献１参照）。
【０００３】
別の例として、デッドボルト式の補助ロック装置では、筐体に固着される第一係合部材と第二係合部材を連結するデッドボルトと、デッドボルトを第一係合部材に錠止する錠前ユニットとから構成され、錠前ユニットはデッドボルトの基底部に連結されている（特許文献２参照）。
【０００４】
更に別の例として、シャックル式の補助ロック装置では、第一係合部材にシャックルが嵌挿される軸孔を設け、第二係合部材にロックアームをシャフトによって枢着し、前記シャックルが係脱する錠止孔を前記ロックアームに設け、前記シャックルが第一係合部材に押し込められた時、前記シャックルの受溝に係合するクローを第一係合部材に設け、第一係合部材に設けた錠前ユニットの操作によって前記クローを前記受溝から離脱させたとき、前記シャックルを前記軸孔から押し出すプッシュピンを第一係合部材の軸孔に嵌め込み、前記シャックルが前記錠止孔から脱出した時、バネで移動付勢されたストッパーピンが前記受溝に係合して、前記シャックルの突出が制止され、前記ロックアームが前記シャフトを中心として退避方向に回される（特許文献３参照）。
【０００５】
以上の補助ロック装置は、扉を筐体に連結する蝶番とは反対側の筐体側面部と扉側面部に跨って装着され、扉側面部からの扉の抉じ開けを阻止しようとするものであるが、これらの補助ロック装置では、扉正面部に装備されているメインロック装置に対するピッキング操作や破壊工作を阻止することはできない。
【０００６】
扉正面部からのメインロック装置に対するピッキング操作や破壊工作を阻止するように設計された補助ロック装置も提案されている（特許文献４参照）。
この補助ロック装置は、筐体の側面部に固着され、基端部に軸孔が設けられた固定翼板と；扉の前面部に押し当てられ、基端部に軸孔が設けられたストッパー翼板と；回転阻止断面部と回転許容断面部と錠止受部が設けられ、固定翼板の前記軸孔に回転不能かつ軸方向に移動可能に嵌挿された軸ピンと；ストッパー翼板内に収納され、回転許容断面部がストッパー翼板の前記軸孔に係合してストッパー翼板が回転可能となるように前記軸ピンを移動付勢する第１バネと；ストッパー翼板のガイド溝孔に収納されて固定翼板の前記軸孔の周壁部の受孔に係脱し、前記軸ピンの回転阻止断面部がストッパー翼板の前記軸孔に係合してストッパー翼板が回転不能となるとき、先端部が前記軸ピンの錠止受部に係合するロック板と；ストッパー翼板内に収納され、前記ロック板を前記軸ピンの方向に移動付勢する第２バネと；ストッパー翼板に固着され、前記ロック板の先端部が前記軸ピンの錠止受部から離脱するように駆動する操作カムをロータに連結した錠前ユニットとからなるものである。
【０００７】
扉正面部からのメインロック装置に対するピッキング操作や破壊工作を阻止する別形式の補助ロック装置も提案されている（特許文献５参照）。
この補助ロック装置は、筐体の側面部に固定されるベース体と、該ベース体の一端に回転可能に取り付けられ、回転動作により閉鎖状態の扉の前面部に近接して扉を拘束保持する遮蔽体と、該遮蔽体が前記所定位置に移動した状態で該遮蔽体の回転動作を錠止固定可能な施錠手段と、前記遮蔽体に設けられた係合部と、前記扉の前面に設けられ、前記遮蔽体が前記所定位置に移動した状態で該遮蔽体の前記係合部を係合固定可能な被係合部を備えるものである。
【０００８】
以上のように従来の補助ロック装置は、蝶番とは反対側の筐体側面部と扉側面部に跨って装着され、扉側面部からの扉の抉じ開けを阻止する系列の補助ロック装置と、扉の正面部と筐体側面部に跨って装着され、扉正面部からのメインロック装置に対するピッキング操作や破壊工作を阻止する系列の補助ロック装置が別個に併存していた。
自動販売機等の保安対策上からは、これら２系列の補助ロック装置の中から１台ずつ選択して筐体及び扉に装着すれば良いのであるが、異なる補助ロック装置を２台装着する場合には、全体としての保安用設備コストが倍増することになり、また、扉正面部や筐体側面部における突出物を徒に増やし、扉正面部の有効利用スペースを減少させることにもなった。
【０００９】
【特許文献１】特許第２５９４２３６号公報
【特許文献２】特開平８−１３５２７０号公報
【特許文献３】特許第２８５４５６８号公報
【特許文献４】特許第２８５３９９４号公報
【特許文献５】特開２００５−２５６３５８号公報
【発明の開示】
【発明が解決しようとする課題】
【００１０】
本発明の課題は、扉側面部からの扉の抉じ開けを阻止する機能と、扉正面部からのメインロック装置に対するピッキング操作や破壊工作を阻止する機能を併せ持っているため、保安用設備コストを増大させることなく、自動販売機等のセキュリティを向上させることができる補助ロック装置を提供することである。
【課題を解決するための手段】
【００１１】
本発明の自動販売機等の補助ロック装置は、筐体１の側面前端部に固着される固定側ケース２と、扉３の側面部に前記固定側ケース２と対向して固着される可動側ケース４とからなる。前記固定側ケース２の内部に装着されたスナッチロック装置５は、突出方向に回転付勢されたロックプレート６と、前記ロックプレート６の掛金部７が装置内に押し込まれた施錠位置に前記ロックプレート６を拘束するトリガーレバー８を備えている。
前記可動側ケース４の内部には筐体１の前後方向に移動可能なスライド体９が収容されており、前記固定側ケース２の前面開口部１０から前記スナッチロック装置５に出入りする前記スライド体９の後端には、ロックプレート６の前記掛金部７と係脱する受金部１１が設けられており、前記スライド体９の前端には、倒伏時にメインロック装置１２の前面側に配置されるガード体１４が垂直軸１５によって連結されている。
前記可動側ケース４には前記垂直軸１５より後方の部位において制止用突起部１６が前面側に突設されており、前記制止用突起部１６は前記ガード体１４の基端部背面には前記制止用突起部１６と係合して前記ガード体１４の回転を制止する制止用凹部１７が形成されている。
前記可動側ケース４の後端部に収容された錠前ユニット１８のロータ１９の先端部には、回転付勢に抗して前記トリガーレバー８を前記ロックプレート６の拘束解除位置へと駆動するカム体２０が装着されている。
前記錠前ユニット１８の鍵２１によって前記カム体２０を回転させて前記トリガーレバー８を駆動し、前記ロックプレート６の回転によって前記スライド体９を前方に押し出すことによって、前記ロックプレート６の前記フック部７と前記スライド体９の前記受金部１１との係合を解除するとともに、前記可動側ケース４の前記制止用突起部１６と前記ガード体１４の前記制止用凹部１７との係合を解除するように配置されている。
【発明の効果】
【００１２】
本発明の補助ロック装置は、筐体１に対して扉３を連結する蝶番とは反対側の筐体側面部及び扉側面部に固着される。
閉鎖した扉３をメインロック装置１２によって筐体１に施錠した状態では、可動側ケース２に保持されたスライド体９は、最も後退した位置にあり、固定側ケース２の前面開口部１０よりスナッチロック装置５の内部に入り込んだスライド体９の受金部１０は、ロックプレート６の掛金部７と係合した位置にある。
受金部１１の押動操作によって掛金部７がスナッチロック装置５の内部に押し込まれたロックプレート６は、トリガーレバー８によって突出方向への回転を阻止されているため、可動側ケース４と固定側ケース２は、スライド体９とロックプレート６を介して連結されており、これによって扉３は扉側面部からの抉じ開けに対して防護されている。
【００１３】
他方、スライド体９が前記のように最も後退した位置にあるときには、ガード体１４の制止用凹部１７が可動側ケース４の制止用突起部１６に係合しているため、ガード体１４はメインロック装置１２の全部または主要部を被覆するように扉３の正面部と対面した位置に回転不能に拘束されており、これによって扉正面部からのメインロック装置１２に対するピッキング操作や破壊工作より防護されている。
【００１４】
このように本発明の補助ロック装置は、扉側面部からの扉３の抉じ開けを阻止する機能と、扉正面部からのメインロック装置１２に対するピッキング操作や破壊工作を阻止する機能を併せ持っているため、本発明の補助ロック装置をただ１台設備することによって、保安用設備コストを徒に増大させることなく、自動販売機等のセキュリティを向上させることができる。
また、２系列の補助ロック装置を別々に２台設備する場合と異なり、扉正面部や筐体側面部における突出物をやみくもに増やすことがなく、扉正面部の有効利用スペースを広くとることができる。
【実施例】
【００１５】
図示の実施例では、扉３は左側において適当な蝶番(図示していない)によって筐体１に枢着されている。金属材料で形成された固定側ケース２は、２本の植込みボルト２２とナット２３によって筐体１の右側の側面前端部に固着されている。金属材料で形成された可動側ケース４は、２本の植込みボルト２４とナット２５によって扉３の右側の側面部に固着されている。可動側ケース４の後面開口部２６は、固定側ケース２の前面開口部１０と向き合っており、金属材料で形成されたスライド体９が可動側ケース４内部のガイド溝部２７に沿って筐体１の前後方向に移動するとき、スライド体９の受金部１１が固定側ケース２の前面開口部１０に出入りする。
【００１６】
受金部１１は、スライド体９の後端のテーパー状アーム部の側面に丸棒状に形成されている。スライド体９が最も前進した位置にあるとき、受金部１１は扉３の開放回転時にスナッチロック装置５及び固定側ケース２と干渉しない位置に来ている。
金属材料によって断面コ字状に形成されたスナッチロック装置５のケース本体２８は、固定側ケース２の空洞部２９に収容され、固定側ケース２の内壁面にビスや溶接によって固着されている。
【００１７】
前記ケース本体２８の側面板部３０には、スライド体９の前後動に際して受金部１１が出入り可能な開放部３１を形成してある。ロックプレート６の軸ピン３２とトリガーレバー８の軸ピン３３は、一対の側面板部３０，３０を横断して設けられている。前記軸ピン３２に嵌められた捻りコイルバネ３４の一方の直線端部はロックプレート６のバネ受部３５に係止され、他方の直線端部は本体ケース２８の連絡板部５８の下部内面に当接している。このようなバネ配置によって、ロックプレート６は図４において軸ピン３２を中心に時計回り方向に回転付勢されている。
【００１８】
前記軸ピン３３に嵌められた捻りコイルバネ３６の一方の直線端部はトリガーレバー８のバネ受部３７に係止され、他方の直線端部は本体ケース２８の連絡板部５８の上部内面に当接している。このようなバネ配置によって、トリガーレバー８は図４において軸ピン３３を中心に反時計回り方向に回転付勢されている。トリガーレバー８の内端部に形成した係止溝部３８には、ロックプレート６の内端部に形成した係止突起３９が係合しており、ロックプレート６は、掛金部７が受金部１１によって押し込まれた施錠位置に的確に拘束保持されている。
【００１９】
トリガーレバー８による拘束を解除されたとき、ロックプレート６は前記バネ３４の回転付勢によって時計回り方向に回転し、掛金部７が側面板部３０の前記開放部３１の出口部付近まで突出回転する。ロックプレート６の突出回転は、掛金部８とは反対側の端部に形成した停止突起部５７が本体ケース２８の前記連絡板部５８の上端面に当接することによって終了する。このロックプレート６の突出回転時に、掛金部７が受金部１１を押すため、スライド体９は前方に駆動される。
【００２０】
スライド体９の前方駆動の原動力としては捻りコイルバネ３４の弾性復元力が使用されているが、塵埃の付着や錆付きなどによってスライド体９と可動側ケース４間の摺動抵抗が大きくなるような場合を想定して、図示の実施例では、スライド体９の追加の付勢手段として圧縮コイルバネ４０を追加してある。スライド体９の中間部にスライド体９の長さ方向に形成されたスロット４１には、可動側ケース４に固定された案内板４２が嵌挿されており、圧縮コイルバネ４０の前端は、前記スロット４１の前端内面に当接し、圧縮コイルバネ４０の後端に当接している。
【００２１】
前記スロット４１の後端内面と当接する前記案内板４２は、スライド体９の前方への抜け止め手段にもなっている。可動側ケース４の前記ガイド溝部２７の内面には、スライド体８の外面肩部４３と当接する停止肩部４４が形成されており、スライド体９の後方への抜止め手段になっている。
前記トリガーレバー８の受動端部４５は、固定側ケース２の前面開口部１０を突出しており、施錠状態においては可動側ケース４の後面側空所４６に入り込んでいる。
【００２２】
可動側ケース４の後端部の下向き空洞部４７に収容された錠前ユニット１８は、固定本体４８の周面溝４９に係合するＵ字状ホルダー５０とビス５１によって、可動側ケース４に固定されている。固定本体４８の上側に突出したロータ１９の小径軸部５２には、円盤状のカム体２０が嵌め込み固定されている。カム体２０の上面の一部には、カム斜面５３が形成されている。所定の鍵２１によってロータ１９を固定本体４８に対して所定角度回すと、前記カム斜面５３がトリガーレバー８の前記受動端部４５を押し上げるため、トリガーレバー８は前記捻りコイルバネ３４の回転付勢に抗して前記軸ピン３３を中心に時計回り方向に回転する。このトリガーレバー８の回転によって、トリガーレバー８の前記係止溝部３８とロックプレート６の前記係止突起３９との係合が解除されるため、ロックプレート６が捻りコイルバネ３４に付勢によって突出方向に回転する。
なお、スナッチロック装置５としては、上記した構成以外の公知のスナッチロック装置を適宜選択して組み込みことができる。
【００２３】
金属材料で形成されたガード体１４の基端部背面には、スライド体９の前端軸受部５４が嵌合される逃げ溝部５５を形成してあり、金属棒よりなる垂直軸１５は前記逃げ溝部５５の上下溝壁部に嵌挿され、止めビス５６によって固定されている。ガード体１４の制止用凹部１７は、前記逃げ溝５５の上側の溝壁部に形成され、可動側ケース４の制止用突起部１６は、可動側ケース４の前端面上部に形成されている。
【図面の簡単な説明】
【００２４】
【図１】本発明の一実施例に係る自動販売機等の補助ロック装置の装着状態の正面図であり、扉は閉鎖施錠位置にある。
【図２】図１の補助ロック装置の平面図である。
【図３】図１の補助ロック装置の右側面図である。
【図４】図２のＡ−Ａ線断面図である。
【図５】図１の補助ロック装置の解錠過程を示す平面図である。
【符号の説明】
【００２５】
１  筐体
２  固定側ケース
３  扉
４  可動側ケース
５  スナッチロック装置
６  ロックプレート
７  ロックプレートの掛金部
８  トリガーレバー
９  スライド体
１０  固定側ケースの前面開口部
１１  スライド体の受金部
１２  メインロック装置
１３  メインロック装置の操作ハンドル
１４  ガード体
１５  垂直軸
１６  可動側ケースの制止用突起部
１７  ガード体の制止用凹部
１８  錠前ユニット
１９  錠前ユニットのロータ
２０  カム体
２１  錠前ユニットの鍵
２２  固定側ケースの固着用ボルト
２３  固定側ケースの固着用ナット
２４  可動側ケースの固着用ボルト
２５  可動側ケースの固着用ナット
２６  可動側ケースの後面開口部
２７  可動側ケースのガイド溝部
２８  スナッチロック装置のケース本体
２９  固定側ケースの空洞部
３０  ケース本体の側面板部
３１  側面板部の開放部
３２  ロックプレートの軸ピン
３３  トリガーレバーの軸ピン
３４  ロックプレートの捻りコイルバネ
３５  ロックプレートのバネ受部
３６  トリガーレバーの捻りコイルバネ
３７  トリガーレバーのバネ受部
３８  トリガーレバーの係止溝部
３９  ロックプレートの係止突起
４０  圧縮コイルバネ
４１  スライド体のスロット
４２  可動側ケースの案内板
４３  スライド体の外面肩部
４４  可動側ケースの停止肩部
４５  トリガーレバーの受動端部
４６  可動側ケースの後面側空所
４７  可動側ケースの下向き空洞部
４８  錠前ユニットの固定本体
４９  固定本体の周面溝
５０  Ｕ字状ホルダー
５１  錠前ユニットの固着用ビス
５２  ロータの小径軸部
５３  カム体のカム斜面
５４  スライド体の前端軸受部
５５  ガード体の逃げ溝部
５６  垂直軸の止めビス
５７  ロックプレートの停止突起部
５８  本体ケースの連絡板部
【図１】
2007332683.tif 000003
【図２】
2007332683.tif 000004
【図３】
2007332683.tif 000005
【図４】
2007332683.tif 000006
【図５】
2007332683.tif 000007